(57)【要約】【課題】入力信号が差動信号であっても低消費電流で精度良くＤＣオフセットを除去することのできるＤＣオフセット除去回路を提供すること。【解決手段】増幅器から出力される差動信号のＤＣ成分を抽出するローパスフィルタ２５０と、カレントミラー回路を介して接続された２組の差動対トランジスタと、電流源２６３，２６４とを備え、一方の差動対トランジスタを構成するトランジスタ２５１，２５２のベースに差動信号（入力電圧Ｖｉｎ＋，Ｖｉｎ−）のＤＣ成分を入力し、他方の差動対トランジスタを構成するトランジスタ２５３，２５４のコレクタからＤＣ成分間のＤＣオフセット電圧に比例する差動電流Ｉｏｕｔ＋，Ｉｏｕｔ−を取り出し、増幅器に帰還させることで、ＤＣオフセット電圧を除去する。【選択図】　　図２
2004040157.tif 000002
【特許請求の範囲】
【請求項１】
増幅器から入力された差動信号のＤＣ成分を抽出し、前記差動信号のＤＣオフセット電圧を除去するための差動電流を前記増幅器に帰還するＤＣオフセット除去回路であって、
前記増幅器から第１、第２の入力端子を介して入力された前記差動信号のＤＣ成分を抽出するＤＣ成分抽出手段と、
第１、第２のトランジスタから構成される第１の差動対トランジスタと、
前記第１、第２のトランジスタのコレクタとそれぞれ第１、第２のカレントミラー回路を介してコレクタが接続された第３、第４のトランジスタから構成される第２の差動対トランジスタと、
前記第１、第２のトランジスタの各エミッタに共通に接続された第１の電流源と、
前記第３、第４のトランジスタの各エミッタに共通に接続された第２の電流源と、を備え、
前記第１、第４のトランジスタの各ベースが前記ＤＣ成分抽出手段を介して前記第１の入力端子に共通に接続されていると共に、前記第２、第３のトランジスタの各ベースが前記ＤＣ成分抽出手段を介して前記第２の入力端子に共通に接続されており、
前記第１、第２の入力端子間のＤＣオフセット電圧に比例した差動電流を前記第３および第４のトランジスタのコレクタ側から取り出すことを特徴とするＤＣオフセット除去回路。
【請求項２】
ｎを任意の定数とし、
前記第１の電流源と前記第２の電流源の電流値が１対ｎに設定され、
前記第１の差動対トランジスタと前記第２の差動対トランジスタの増幅度が１対ｎに設定され、
前記第１および第２のカレントミラー回路のミラー比が１対ｎに設定されていることを特徴とする請求項１記載のＤＣオフセット除去回路。
【請求項３】
受信信号と局部発振信号とからベースバンド信号となる差動信号を生成する直交復調器と、
前記差動信号の帯域を制限するローパスフィルタと、
前記ローパスフィルタによって帯域制限された差動信号を可変増幅する可変増幅器と、
前記可変増幅器によって増幅された差動信号を増幅する増幅器と、
前記増幅器に前記差動電流を帰還させる請求項１または２記載のＤＣオフセット除去回路と、
を備えたことを特徴とする受信機。
【請求項４】
前記第１の電流源および前記第２の電流源の電流値を可変する制御回路を備えたことを特徴とする請求項３記載の受信機。
【請求項５】
前記制御回路は、前記受信信号のレベルに基づいて前記第１の電流源および前記第２の電流源の電流値を可変することを特徴とする請求項４記載の受信機。
【発明の詳細な説明】
【０００１】
【発明の属する技術分野】
本発明は、移動無線機等で使用される受信機に搭載され、ベースバンド信号となる差動信号のＤＣオフセット電圧を除去するＤＣオフセット除去回路および受信機に関する。
【０００２】
【従来の技術】
図５は、従来の受信機の構成を示すブロック図である。同図に示す従来の受信機は、信号を入力する入力端子１２０１、受信信号および局部発振信号（ローカル信号）を混合する第１、第２のミキサ１２０２，１２０３、ローカル信号を発生する局部発振器１２０４、位相差９０゜（π／２）の２つの信号を発生する移相器１２０５、ベースバンド信号から希望波信号を取り出す第１、第２のローパスフィルタ１２０６，１２０７、希望波信号を可変増幅（増幅あるいは減衰）する第１、第２の可変増幅器１２０８，１２０９、希望波信号からＤＣオフセット電圧を除去する第１、第２のＤＣオフセット除去回路１２１０，１２１１、およびＤＣオフセット電圧除去後の希望波信号を増幅する第１、第２の増幅器１２１２，１２１３から主に構成される。
【０００３】
上記構成の受信機では、入力端子１２０１から入力される受信信号は２つに分配され、それぞれ第１、第２のミキサ１２０２，１２０３に入力される。一方、局部発振器１２０４で発生するローカル信号は、移相器１２０５で位相が９０゜異なる２つのローカル信号となり、第１、第２のミキサ１２０２，１２０３に入力される。
【０００４】
第１、第２のミキサ１２０２，１２０３では、受信信号およびローカル信号がそれぞれ混合され、ベースバンド信号に変換された後、第１、第２のローパスフィルタ１２０６，１２０７によって希望波信号だけが選択される。希望波信号は、第１、第２の可変増幅器１２０８，１２０９によって受信信号を基に所望のレベルとなるように、可変増幅（増幅あるいは減衰）された後、第１、第２の増幅器１２１２，１２１３で増幅されて出力される。
【０００５】
ここで、ベースバンド信号が直流増幅される場合、この増幅された信号に大きなＤＣオフセット電圧が生じることになる。このＤＣオフセット電圧が大きいと、増幅器がＤＣオフセット電圧により飽和し、ベースバンド信号を正しく伝えることができなくなる。そこで、ベースバンド信号のＤＣオフセット電圧を除去するために、第１、第２の可変増幅器１２０８，１２０９の出力には、それぞれ第１、第２のＤＣオフセット除去回路１２１０，１２１１が接続されている。
【０００６】
図６は、従来のＤＣオフセット除去回路の構成を示す図である。同図に示す従来のＤＣオフセット除去回路は、コンデンサ１４０１および抵抗１４０２から高域通過フィルタを構成している。希望波信号がデジタル復調信号である場合、ベースバンドの希望波信号の周波数成分はＤＣ近傍にも存在するので、ＤＣオフセット除去回路でＤＣ成分を除去する場合、信号成分が損なわれない程度に高域通過フィルタの遮断周波数を十分に小さくする必要があった。このため、大きな容量値のコンデンサが必要となる。また、ベースバンド信号が差動信号である場合、Ｉ側およびＱ側にそれぞれ２個、合計４個のコンデンサが必要であった。このことは、集積化において、チップ面積の増加につながり、搭載する機器の小型化の妨げとなって、製造コストの増加につながってしまう。
【０００７】
図７は、他の従来の受信機の構成を示すブロック図である。図５に示した受信機と比較すると、ＤＣオフセット除去回路の構成および接続が異なっている。ここで、図５の受信機と同一の部分は同一の符号を付すことによりその説明を省略する。図８は、他の従来のＤＣオフセット除去回路の構成を示す回路図である。このＤＣオフセット除去回路１２５０，１２５１は、入力端子１３０１、ローパスフィルタ１３０２、基準電圧１３０３、トランジスタ１３０４，１３０５，１３０６，１３０７、および電流源１３０８からなる差動増幅回路と、電流源１３０９およびトランジスタ１３１０，１３１１からなるカレントミラー回路とから構成されている。
【０００８】
このＤＣオフセット除去回路１２５０，１２５１では、ローパスフィルタ１３０２は、入力端子１３０１から入力されるベースバンド信号のＤＣ成分を抽出する。抽出されたＤＣ成分がトランジスタ１３０４のベースに入力されると、抽出されたＤＣ成分と基準電圧１３０３との差分に比例した電流Δｉが差動増幅回路から出力される。電流源１３０９の電流値をＩ０とすると、出力端子１３１２から取り出される電流値は、Ｉ０−Δｉとなる。この出力端子１３１２から取り出される電流値を増幅器１２１２，１２１３に負帰還させることで、ベースバンド信号に生じたＤＣオフセット電圧が除去される。また、カレントミラー回路を構成するトランジスタ１３１０，１３１１のミラー比を変更することにより負帰還のゲインを調整することが可能である。
【０００９】
【発明が解決しようとする課題】
しかしながら、上記従来のＤＣオフセット除去回路（図８参照）では、入力信号が１つであったため以下の問題点があった。すなわち、入力信号が２つの差動信号である場合、上記ＤＣオフセット除去回路は２組必要であるため、消費電流が増加するという問題点があった。さらに、２つの回路の集積化においては、プロセスのばらつきにより２組の回路間で帰還電流の誤差が生じるため、ＤＣオフセット電圧を十分に除去することが難しいという問題点があった。
【００１０】
本発明は、上記従来の問題点に鑑みてなされたものであって、入力信号が差動信号であっても低消費電流で精度良くＤＣオフセットを除去することのできるＤＣオフセット除去回路および受信機を提供することを目的とする。
【００１１】
【課題を解決するための手段】
上記目的を達成するために、本発明に係るＤＣオフセット除去回路は、増幅器から入力された差動信号のＤＣ成分を抽出し、前記差動信号のＤＣオフセット電圧を除去するための差動電流を前記増幅器に帰還するＤＣオフセット除去回路であって、前記増幅器から第１、第２の入力端子を介して入力された前記差動信号のＤＣ成分を抽出するＤＣ成分抽出手段と、第１、第２のトランジスタから構成される第１の差動対トランジスタと、前記第１、第２のトランジスタのコレクタとそれぞれ第１、第２のカレントミラー回路を介してコレクタが接続された第３、第４のトランジスタから構成される第２の差動対トランジスタと、前記第１、第２のトランジスタの各エミッタに共通に接続された第１の電流源と、前記第３、第４のトランジスタの各エミッタに共通に接続された第２の電流源と、を備え、前記第１、第４のトランジスタの各ベースが前記ＤＣ成分抽出手段を介して前記第１の入力端子に共通に接続されていると共に、前記第２、第３のトランジスタの各ベースが前記ＤＣ成分抽出手段を介して前記第２の入力端子に共通に接続されており、前記第１、第２の入力端子間のＤＣオフセット電圧に比例した差動電流を前記第３および第４のトランジスタのコレクタ側から取り出す。したがって、入力信号が差動信号であっても低消費電流で精度良くＤＣオフセットを除去することことができる。
【００１２】
また、本発明に係るＤＣオフセット除去回路は、ｎを任意の定数とし、前記第１の電流源と前記第２の電流源の電流値が１対ｎに設定され、前記第１の差動対トランジスタと前記第２の差動対トランジスタの増幅度が１対ｎに設定され、前記第１および第２のカレントミラー回路のミラー比が１対ｎに設定されている。したがって、ｎの値を変えることによりＤＣオフセット除去回路のゲインを変更することができ、除去すべきＤＣオフセットの許容量を自由に設定できる。
【００１３】
また、本発明に係る受信機は、受信信号と局部発振信号とからベースバンド信号となる差動信号を生成する直交復調器と、前記差動信号の帯域を制限するローパスフィルタと、前記ローパスフィルタによって帯域制限された差動信号を可変増幅する可変増幅器と、前記可変増幅器によって増幅された差動信号を増幅する増幅器と、前記増幅器に前記差動電流を帰還させる請求項１または２記載のＤＣオフセット除去回路と、を備えている。したがって、復調精度の劣化を防止できる。
【００１４】
また、本発明に係る受信機は、前記第１の電流源および前記第２の電流源の電流値を可変する制御回路を備えている。したがって、半導体集積回路等で受信機を構成した場合、素子のばらつきによるＤＣオフセットの発生量に応じて、電流源の電流値を調整することにより、ＤＣオフセット除去の能力を調整することができ、製造時におけるＤＣオフセット除去が可能となる。
【００１５】
さらに、本発明に係る受信機は、前記制御回路は、前記受信信号のレベルに基づいて前記第１の電流源および前記第２の電流源の電流値を可変する。したがって、可変増幅器のゲイン設定が小さく、ＤＣオフセット発生量が少ない場合、電流値の設定を小さくしてＤＣオフセット除去の能力を下げることにより、消費電流を下げることができる。さらに、集積化に好適な受信機が得られるため、携帯電話機に適用した場合はその小型化が可能となる。
【００１６】
【発明の実施の形態】
以下、本発明に係るＤＣオフセット除去回路および受信機の実施の形態について、〔第１の実施形態〕、〔第２の実施形態〕の順に図面を参照して詳細に説明する。
【００１７】
［第１の実施形態］
図１は、第１の実施形態の受信機の構成を示すブロック図である。同図に示す受信機は、携帯電話等に利用されるダイレクトコンバージョン方式のものであり、受信信号を入力する入力端子２０１、局部発振信号（ローカル信号）を発生する局部発振器２０４、位相差９０°（π／２）の２つのローカル信号を生成する移相器２０５、受信信号とローカル信号とを混合し、ベースバンド信号となる差動信号をそれぞれ生成する第１、第２のミキサ２０２，２０３、差動信号から希望波信号をそれぞれ取り出す第１、第２のローパスフィルタ２０６，２０７（特許請求の範囲に記載のローパスフィルタに相当）、希望波信号をそれぞれ可変増幅（増幅あるいは減衰）する第１、第２の可変増幅器２０８，２０９（特許請求の範囲に記載の可変増幅器に相当）、可変増幅後の希望波信号をそれぞれ増幅する第１、第２の増幅器２１２，２１３（特許請求の範囲に記載の増幅器に相当）、第１、第２の増幅器２１２，２１３からそれぞれ出力される差動信号のＤＣオフセット電圧を抽出し、これを除去するための差動電流をそれぞれ帰還させる第１、第２のＤＣオフセット除去回路２１０，２１１から主に構成される。なお、第１、第２のミキサ２０２，２０３および移相器２０５からなる直交復調器２１４は、特許請求の範囲に記載された直交復調器に相当する。
【００１８】
上記構成の受信機では、入力端子２０１から入力される受信信号は２チャンネルに分配され、それぞれ第１、第２のミキサ２０２，２０３に入力される。一方、局部発振器２０４から出力される、希望信号にほぼ等しい周波数の局部発振信号は、第１のミキサ２０２にそのまま入力されると共に、移相器２０５で位相差９０゜の信号となって第２のミキサ２０３に入力される。
【００１９】
第１、第２のミキサ２０２，２０３では、受信信号と局部発振信号とがそれぞれ混合され、ベースバンド信号となる差動信号に変換される。この後、第１、第２のローパスフィルタ２０６，２０７によって希望信号だけがそれぞれ抽出される。希望信号だけとなった差動信号は、第１、第２の可変増幅器２０８，２０９でそれぞれ可変増幅（増幅あるいは減衰）され、さらに、第１、第２の増幅器２１２，２１３で復調に必要なレベルまでそれぞれ直流増幅されると、出力端子から出力される。
【００２０】
ここで、第１、第２の可変増幅器２０８，２０９および増幅器２１２，２１３で直流増幅されたことにより、差動信号に発生していたＤＣオフセット電圧はそのままでは大きな値となってしまうが、本実施形態では、後述するように、第１、第２のＤＣオフセット除去回路２１０，２１１から帰還される差動電流によって増幅器２１２，２１３ではＤＣオフセット電圧が除去される。この差動電流Ｉｏｕｔ＋、Ｉｏｕｔ−の値が大きい程、増幅器２１２，２１３から出力されるＤＣオフセット電圧は小さくなり、除去能力が上がる。
【００２１】
図２は、第１の実施形態のＤＣオフセット除去回路の構成を示す回路図である。本実施形態のＤＣオフセット除去回路である第１および第２のＤＣオフセット除去回路２１０，２１１は、同一の構成を有し、かつ同一の動作を行うので、ここでは、その一方についてだけ説明する。すなわち、第１のＤＣオフセット除去回路２１０は、増幅器２１２から出力される差動信号のＤＣ成分を抽出するローパスフィルタ２５０（特許請求の範囲に記載のＤＣ成分抽出手段に相当）と、第１、第２のトランジスタ２５１，２５２から構成される第１の差動対トランジスタ（特許請求の範囲に記載の第１の差動対トランジスタに相当）と、第１、第２のトランジスタ２５１，２５２のコレクタとそれぞれ第１、第２のカレントミラー回路を介してコレクタが接続された第３、第４のトランジスタ２５３，２５４から構成される第２の差動対トランジスタ（特許請求の範囲に記載の第２の差動対トランジスタに相当）と、第１、第２のトランジスタ２５１，２５２のエミッタに共通に接続された第１の電流源２６３（特許請求の範囲に記載の第１の電流源に相当）と、第３、第４のトランジスタ２５３，２５４のエミッタに共通に接続された第２の電流源２６４（特許請求の範囲に記載の第２の電流源に相当）とを備え、第１、第４のトランジスタ２５１，２５４のベースをローパスフィルタ２５０を介して第１の入力端子２７５に共通に接続すると共に、第２、第３のトランジスタ２５２，２５３のベースをローパスフィルタ２５０を介して第２の入力端子２７６に共通に接続し、第１、第２の入力端子２７５，２７６間のＤＣオフセット電圧に比例した差動電流を第３および第４のトランジスタ２５３，２５４のコレクタに接続された第１、第２の出力端子２８１，２８２から取り出すようにしたものである。
【００２２】
ここで、第１のカレントミラー回路は、第１のトランジスタ２５１のコレクタに接続されたトランジスタ２５５，２５６、および第３のトランジスタ２５３のコレクタに接続されたトランジスタ２５９，２６０から構成される。同様に、第２のカレントミラー回路は、第２のトランジスタ２５２のコレクタに接続されたトランジスタ２５７，２５８、および第４のトランジスタ２５４のコレクタに接続されたトランジスタ２６１，２６２から構成される。
【００２３】
上記構成のＤＣオフセット除去回路では、増幅器２１２からの差動信号（入力電圧）Ｖｉｎ＋、Ｖｉｎ−は、ローパスフィルタ２５０に入力される。ローパスフィルタ２５０で抽出された差動信号Ｖｉｎ＋、Ｖｉｎ−のＤＣ成分は、第１の差動対トランジスタを構成する第１、第２のトランジスタ２５１，２５２にそれぞれ入力されると共に、第２の差動対トランジスタを構成する第４、第３のトランジスタ２５４，２５３にそれぞれ入力される。そして、入力された差動信号Ｖｉｎ＋、Ｖｉｎ−のＤＣ成分のオフセット量に比例する差動電流Ｉｏｕｔ＋、Ｉｏｕｔ−が第３、第４のトランジスタ２５３，２５４のコレクタから出力端子２８１，２８２を通じて、増幅器２１２，２１３に帰還される。
【００２４】
より詳細に説明すると、ローパスフィルタ２５０を通過した後の差動信号のＤＣ成分は、第１、第４のトランジスタ２５１，２５４のベース、および第２、第３のトランジスタ２５２，２５３のベースにそれぞれ入力される。第１、第２の差動対トランジスタは、ベースに入力された電圧差に相当する電流がそれぞれのトランジスタに流れるように、電流源２６３，２６４の定電流Ｉ１，Ｉ２をそれぞれ分流する。
【００２５】
このとき、前述したトランジスタ２５５，２５６およびトランジスタ２５９，２６０からなる第１のカレントミラー回路により、トランジスタ２５１のコレクタに流れる電流値と同じ値の電流がトランジスタ２５３のコレクタに向けて流れ込む。同様に、前述したトランジスタ２５７，２５８およびトランジスタ２６１，２６２からなる第２のカレントミラー回路により、トランジスタ２５２のコレクタに流れる電流値と同じ値の電流がトランジスタ２５４のコレクタに向けて流れ込む。
【００２６】
したがって、出力端子２８１では、第１のカレントミラー回路によりトランジスタ２５３のコレクタに向けて流れ込む電流と、トランジスタ２５３に流れるコレクタ電流（定電流Ｉ２の一方の分流電流）との差分に相当する差動電流Ｉｏｕｔ＋が出力される。同様に、出力端子２８２では、第２のカレントミラー回路によりトランジスタ２５４のコレクタに向けて流れ込む電流と、トランジスタ２５４に流れるコレクタ電流（定電流Ｉ２の他方の分流電流）との差分に相当する差分電流Ｉｏｕｔ−が出力される。
【００２７】
例えば、入力電圧Ｖｉｎ＋がＨ（Ｈｉｇｈ）レベル電圧、入力電圧Ｖｉｎ−がＬ（Ｌｏｗ）レベル電圧である場合、ローパスフィルタ２５０通過後のＤＣ成分によって、トランジスタ２５１，２５４がオンし、トランジスタ２５２，２５３がオフとなるので、第１のカレントミラー回路によりトランジスタ２５３のコレクタに向けて流れ込む電流（電流源２６３の定電流Ｉ１に相当）がそのまま出力端子２８１から差動電流Ｉｏｕｔ＋として流れ出し、出力端子２８２から電流源２６４の定電流Ｉ２に相当する差動電流Ｉｏｕｔ−が引き込まれる。
【００２８】
逆に、入力電圧Ｖｉｎ＋がＬレベル電圧、入力電圧Ｖｉｎ−がＨレベル電圧である場合、出力端子２８１から電流源２６４の定電流Ｉ２に相当する差動電流Ｉｏｕｔ＋が引き込まれ、出力端子２８２から第２のカレントミラー回路によりトランジスタ２５４のコレクタに向けて流れ込む電流（電流源２６３の定電流Ｉ１に相当）がそのまま差動電流Ｉｏｕｔ−として流れ出す。
【００２９】
このように、本実施形態のＤＣオフセット除去回路２１０，２１１では、入力した差動信号（入力電圧Ｖｉｎ＋，Ｖｉｎ−）のＤＣオフセット電圧に比例した差動電流Ｉｏｕｔ＋，Ｉｏｕｔ−が出力端子２８１，２８２を通じて増幅器２１２，２１３に帰還される。
【００３０】
なお、第１の実施形態では、電流源２６３の定電流Ｉ１と電流源２６４の定電流Ｉ２の比、２組の差動対トランジスタの増幅度の比、および第１、第２のカレントミラー回路のミラー比をそれぞれ１対１として説明したが、これらの比をそれぞれ１対ｎ（ｎは任意の定数）に設定しても良い。これにより、ＤＣオフセット除去回路のゲインを変えることができ、除去すべきＤＣオフセット電圧の許容量を自由に設定できる。このことは、第２の実施形態においても同様である。
【００３１】
［第２の実施形態］
図３は、第２の実施形態の受信機の構成を示すブロック図である。図４は、第２の実施形態のＤＣオフセット除去回路の構成を示す回路図である。第１の実施形態と同一の構成要素については同一の符号を付すことによりその説明を省略する。
【００３２】
図３に示すように、第２の実施形態の受信機には、第１の実施形態と比較して、制御部２１５（特許請求の範囲に記載の制御回路に相当）が設けられている。制御部２１５は、ベースバンドとなる差動信号Ｉ，ＩＸ，Ｑ，ＱＸが一定のレベルを保つように、可変増幅器２０８，２０９の利得を制御するための利得制御信号（利得制御電圧）Ｖｇｃを発生する。
【００３３】
また、制御部２１５は、電流源２６３の定電流Ｉ１および電流源２６４の定電流Ｉ２を制御するための電流制御信号（電流制御電圧）Ｖｃを発生する。電流源２６４の定電流Ｉ２の値は、出力端子２８１，２８２から差動電流Ｉｏｕｔ＋，Ｉｏｕｔ−として引き抜かれる最大の電流量に決定されている。このため、電流制御電圧Ｖｃによって定電流Ｉ１，Ｉ２の値を一定の比に保ちながら同時にその電流量を制御することによって、ＤＣオフセット除去回路のＤＣオフセット除去能力を任意に設定することができる。
【００３４】
また、ＤＣオフセット除去回路では、増幅器２１２，２１３で増幅される差動信号のＤＣオフセット電圧は、増幅器２１２，２１３の利得が大きい程大きくなるので、ＤＣオフセット電圧によって回路の飽和状態が発生し易くなる。逆に、増幅器２１２，２１３の利得が小さい場合、ＤＣオフセット電圧による回路の飽和状態は発生しにくい。
【００３５】
したがって、制御部２１５は、可変増幅器２０８，２０９の利得制御電圧Ｖｇｃを発生させると同時に、この電圧に比例するような電流制御電圧Ｖｃを発生させる。すなわち、可変増幅器２０８，２０９の利得を大きく設定する場合、ＤＣオフセット除去回路２１０，２１１の差動電流Ｉｏｕｔ＋，Ｉｏｕｔ−を増加させてＤＣオフセット除去回路２１０，２１１のＤＣオフセット除去能力を上げる。逆に、可変増幅器２０８，２０９の利得を小さく設定する場合、ＤＣオフセット除去回路２１０，２１１のＤＣオフセット除去能力を下げる。
【００３６】
このようにして、受信機における受信信号の電解強度が大きい場合、すなわち可変増幅器２０８，２０９の利得が小さく設定される場合、ＤＣオフセット除去回路２１０，２１１の差動電流Ｉｏｕｔ＋，Ｉｏｕｔ−を削減し、受信機全体の消費電流を低く抑えることができる。したがって、第２の実施形態の受信機を携帯電話等の移動無線機に適用した場合、動作時の消費電流が少なくなるため、移動無線機の動作時間を延ばすことができる。
【００３７】
【発明の効果】
以上説明したように、本発明に係るＤＣオフセット除去回路および受信機によれば、入力信号が差動信号であっても低消費電流で精度良くＤＣオフセットを除去可能なＤＣオフセット除去回路を提供することができる。さらに、当該ＤＣオフセット除去回路を受信機に搭載することで、低消費電流で復調精度が劣化しない受信機を得ることができる。
【図面の簡単な説明】
【図１】第１の実施形態の受信機の構成を示すブロック図
【図２】第１の実施形態のＤＣオフセット除去回路の構成を示す回路図
【図３】第２の実施形態の受信機の構成を示すブロック図
【図４】第２の実施形態のＤＣオフセット除去回路の構成を示す図
【図５】従来の受信機の構成を示すブロック図
【図６】従来のＤＣオフセット除去回路の構成を示す図
【図７】他の従来の受信機の構成を示すブロック図
【図８】他の従来のＤＣオフセット除去回路の構成を示す回路図
【符号の説明】
２０２，２０３　ミキサ
２０６，２０７　ローパスフィルタ
２０８，２０９　可変増幅器
２１０，２１１　ＤＣオフセット除去回路
２１２，２１３　増幅器
２１５　制御部
２５０　ローパスフィルタ
２５１〜２５４　トランジスタ
２５５〜２６２　トランジスタ
２６３，２６４　電流源
【図１】
2004040157.tif 000003
【図２】
2004040157.tif 000004
【図３】
2004040157.tif 000005
【図４】
2004040157.tif 000006
【図５】
2004040157.tif 000007
【図６】
2004040157.tif 000008
【図７】
2004040157.tif 000009
【図８】
2004040157.tif 000010